(57)【特許請求の範囲】
【請求項１】
押圧操作される作動子と状態表示用の発光体とを備えたスイッチを、一又は複数並べて装着可能なスイッチ装置であって、
複数のスイッチ取付部を並べて形成した取付枠と、
前記取付枠へのスイッチの取付け位置に応じて、該スイッチの作動子における適所に係合する押圧操作用の操作板と、
この操作板の所定箇所に形成した発光表示部と、
前記操作板の裏面側に移動自在に装着され、発光体からの光線を前記発光表示部へ導く導光体と、
前記操作板の作動子に対する係合位置に応じて、前記導光体を適正位置に移動させる導光体位置決め手段と、
を備えたことを特徴とするスイッチ装置。
【請求項２】
請求項１のスイッチ装置において、
前記導光体は、第１光入射部から入射した光線を第１光出射部から出射する第１導光経路と、第２光入射部から入射した光線を第２光出射部から出射する第２導光経路と、第３光入射部から入射した光線を第３光出射部から出射する第３導光経路とを有し、
前記導光体位置決め手段は、前記操作板の作動子に対する係合位置に応じて、前記第１乃至第３光入射部のいずれか一つを、前記発光体と対向する位置に配置するものであることを特徴とするスイッチ装置。
【請求項３】
請求項１記載のスイッチ装置において、
前記導光体位置決め手段は、前記導光体側に設けられ前記作動子の適所に係合する係止爪を有し、該係止爪の作動子に対する係合位置に応じて、前記導光体の移動位置を変更させるものであることを特徴とするスイッチ装置。
【請求項４】
請求項３記載のスイッチ装置において、
前記操作板に表示体の配置部を形成するとともに、前記操作板の裏面に該配置部に表示体を保持する表示体保持部材を開閉自在に設け、
前記表示体保持部材の前記発光表示部と対向する箇所に、前記発光体からの光線を透過する透光部を形成し、
且つ、前記導光体を前記表示体保持部材に移動自在に装着したことを特徴とするスイッチ装置。
【請求項５】
請求項４記載のスイッチ装置において、
作動子に対する前記係止爪の係合が解除されたとき、前記導光体を所定の初期位置に戻す付勢手段を備えたことを特徴とするスイッチ装置。
【請求項６】
請求項３乃至５のいずれか一項に記載のスイッチ装置において、
前記導光体は、第１光入射部から入射した光線を第１光出射部から出射する第１導光経路と、第２光入射部から入射した光線を第２光出射部から出射する第２導光経路と、第３光入射部から入射した光線を第３光出射部から出射する第３導光経路とを有し、
前記導光体位置決め手段は、前記操作板の作動子に対する係合位置に応じて、前記第１乃至第３光入射部のいずれか一つを、前記発光体と対向する位置に配置するものであることを特徴とするスイッチ装置。
【請求項７】
請求項６記載のスイッチ装置において、
前記第１乃至第３光出射部は、対応する光入射部が前記発光体と対向する位置に配置されたとき、前記発光表示部と対向する箇所に形成されていることを特徴とするスイッチ装置。
【請求項８】
請求項７記載のスイッチ装置に装着可能なスイッチであって、
押圧操作される作動子に、前記係止爪が係合する係合部を形成するとともに、この係合部の周囲に、前記初期位置にある前記係止爪を該係合部に導く傾斜部を形成したことを特徴とするスイッチ。
【発明の詳細な説明】
【０００１】
【発明の属する技術分野】
この発明は、屋内配線回路をオンオフするスイッチを屋内の壁面等に施設するために用いられるスイッチ装置に関し、特に、状態表示用の発光体を備えた一又は複数のスイッチを、任意に装着できるようにしたスイッチ装置に関する。
【０００２】
【従来の技術】
一般に、屋内配線器具に分類されるスイッチは、スイッチ装置を介して屋内の壁面等に施設される。スイッチ装置は、取付枠やスイッチのオンオフ操作を行うための操作板等を構成要素として備えており、一又は複数のスイッチを必要に応じて取付けできる構成のものが多い。
【０００３】
また、スイッチには、そのオンオフに応じて点灯又は消灯する状態表示用の発光体を備えたものがある（例えば、特開平２−２９１６２０号公報参照）。この種の発光体付きスイッチを装着するためのスイッチ装置は、表面に露出する操作板の適所に発光表示部が形成されており、この発光表示部を透して発光体からの光線を外部へ透過する構成となっている。
【０００４】
【発明が解決しようとする課題】
さて、近年、高齢化への対応などから、操作板を大きくして操作性を向上させたワイドタイプと称するスイッチ装置の需要が増えている。この種のスイッチ装置は、各スイッチの取付け幅に対して、操作板が大きく形成されている。このため、各取付け位置に装着されたスイッチに対して操作板をそれぞれ中心に合わせて係合させようとしても、各操作板が干渉してしまう。
【０００５】
そこで、例えば、３個口の取付枠にあっては、装着位置に応じてスイッチに対する操作板の係合箇所をそれぞれ異ならせてある。すなわち、取付枠の中央位置に装着したスイッチに対しては、操作板を中心に合わせて係合させ、また取付枠の下部位置に装着したスイッチに対しては、操作板を下方寄りにずらせて係合させ、さらに取付枠の上部位置に装着したスイッチに対しては、操作板を上方寄りにずらせて係合させることで、各操作板の干渉を回避していた。
【０００６】
このように、取付枠への取付け位置に応じてスイッチに対する操作板の係合箇所が異なるスイッチ装置にあっては、発光表示部もスイッチに対する操作板の相対位置に応じた適所に形成する必要がある。したがって、従来のこの種のスイッチ装置にあっては、スイッチの装着位置に合わせて発光表示部の形成位置を異ならせた複数の操作板が用意されており、このため発光表示部の形成位置が異なる各操作板の管理が煩雑であり、さらには施行現場においても取付枠の装着位置に応じて適正な操作板を選択しなければならず、施行作業も煩雑となる欠点があった。
【０００７】
この発明は、このような事情に鑑みてなされたもので、複数の発光体付きスイッチが取付け可能なスイッチ装置において、操作板の共通化を図ることにより、部品管理及び施行作業の容易化を実現することを目的とする。
【０００８】
【課題を解決するための手段】
上記目的を達成するために、本発明は、押圧操作される作動子と状態表示用の発光体とを備えたスイッチを、一又は複数並べて装着可能なスイッチ装置であって、複数のスイッチ取付部を並べて形成した取付枠と、取付枠へのスイッチの取付け位置に応じて、該スイッチの作動子における適所に係合する押圧操作用の操作板と、この操作板の所定箇所に形成した発光表示部と、操作板の裏面側に移動自在に装着され、発光体からの光線を発光表示部へ導く導光体と、操作板の作動子に対する係合位置に応じて、導光体を適正位置に移動させる導光体位置決め手段と、を備えたことを特徴とする。
【０００９】
この構成によれば、操作板の作動子に対する係合位置に応じて導光体が適正位置に移動して、発光体からの光線を発光表示部へと導くことが可能となるので、一種類の操作板によって取付け部材の各スイッチ装着位置に装着されたスイッチに対応させることができる。
【００１０】
ここで、導光体位置決め手段は、導光体側に設けられ作動子の適所に係合する係止爪を有し、該係止爪の作動子に対する係合位置に応じて、導光体の移動位置を変更させる構成とすることができる。
【００１１】
また、操作板に表示体の配置部を形成するとともに、操作板の裏面に該配置部に表示体を保持する表示体保持部材を開閉自在に設け、表示体保持部材の発光表示部と対向する箇所に、発光体からの光線を透過する透光部を形成し、且つ、導光体を、表示体保持部材に移動自在に装着してもよい。
このように構成すれば、発光体による状態表示機能とともに、表示体による設置場所等の表示機能が付加され、ユーザにとって一層操作が容易となる。表示体としては、例えば、スイッチによってオンオフ制御される照明等の設置場所を使用者に認識させるための表示（例えば、「居間」「廊下」「トイレ」「洗面」）が付された表示シートや表示カードを用いることができる。
【００１２】
上述した本発明において、導光体を、第１光入射部から入射した光線を第１光出射部から出射する第１導光経路と、第２光入射部から入射した光線を第２光出射部から出射する第２導光経路と、第３光入射部から入射した光線を第３光出射部から出射する第３導光経路とを有する構成とした場合には、導光体位置決め手段は、操作板の作動子に対する係合位置に応じて、第１乃至第３光入射部のいずれか一つを、発光体と対向する位置に配置する構成とすればよい。
このとき、第１乃至第３光出射部は、対応する光入射部が発光体と対向する位置に配置されたとき、発光表示部と対向する箇所に形成すればよい。
【００１３】
さらに、本発明に係るスイッチ装置には、作動子に対する係止爪の係合が解除されたとき、導光体を所定の初期位置に戻す付勢手段を備え、一方、本発明に係るスイッチの作動子には、係止爪が係合する係合部を形成するとともに、この係合部の周囲に、初期位置にある係止爪を該係合部に導く傾斜部を形成してもよい。
このように構成すれば、係止爪が傾斜部に沿って係合部に導かれて係合するので、導光体を自動的に適正位置へと移動させることが可能となる。
【００１４】
【発明の実施の形態】
以下、この発明の実施の形態について図面を参照して詳細に説明する。
図１は本発明の実施形態に係るスイッチ及びスイッチ装置の分解斜視図、図２は同じく斜視図、図３は図２のＡ−Ａ線方向に切断した断面図、図４は図２のＢ−Ｂ線方向に切断した断面図である。
【００１５】
スイッチ１００を装着するためのスイッチ装置は、取付ユニット２００、化粧プレート３００、及び操作板４００を備えており、取付ユニット２００にスイッチ１００が装着される。取付ユニット２００は、室内の壁面等にねじ止めされ、その外周を化粧プレート３００によって被覆される。操作板４００は、化粧プレート３００の中央部に形成した開口部３０１を介してスイッチ１００の作動子１１２に装着され、外部から加えられる押圧力を作動子１１２に伝える。
【００１６】
図１乃至図４に示す本実施形態に係るスイッチ装置は、３個のスイッチ１００を並べて装着可能となっており、装着された各スイッチ１００にそれぞれ操作板４００が取り付けられている。
【００１７】
図５乃至図７はスイッチの構成を示す図であり、図５はスイッチの斜視図、図６はスイッチの分解斜視図、図７（ａ）はスイッチの平面図、図７（ｂ）はスイッチの正面図、図７（ｃ）はスイッチの正面断面図である。なお、これらの図に示すスイッチ１００は、いわゆる三路スイッチを構成しているが、本発明に適用されるスイッチはこれに限定されず、端子構造の変更により、通常のオンオフスイッチや四路スイッチ等、屋内配線回路のオンオフに用いられる押圧操作スイッチの構成を採ることもできる。
【００１８】
スイッチ１００は、ケース１０１及び蓋体１０２で外筐体を形成しており、一対の固定金具１２０によってケース１０１の上部に蓋体１０２が固定される。各固定金具１２０には、後述する取付枠２１０への係止片１２０ａが形成してある。この係止片１２０ａは、蓋体１０２の両側面よりも外側に延出している。
【００１９】
スイッチ１００の内部には、速結端子を構成する押えバネ１０３とリリースボタン１０４、固定接点１０５ａを有する固定端子１０５、切替接点１０６ａを有する切替端子１０６、支持バネ１０７ａを有する共通端子１０７、可動接点１０８ａを有する可動接触子１０８、ランプホルダ１０９に保持されたネオン管（発光体）１１０、転換子１１１、及び作動子１１２等の構成部品が内蔵してある。
【００２０】
押えバネ１０３は、各端子１０５，１０６，１０７にそれぞれ対応して設けられており、ケース１０１の電線挿入孔１０１ａ（図７（ｃ）参照）から差し込まれた電線を各端子１０５，１０６，１０７とそれぞれ協同して挟持する。リリースボタン１０４は、押えバネ１０３による電線の挟持状態を解除するための構成部品であり、ケース１０１の解除孔１０１ｂ（図７（ｃ）参照）からドライバ等の工具を差し込んでリリースボタン１０４を移動させることにより、該リリースボタン１０４が押えバネ１０３の先端（電線挟持端）を撓ませて、電線の挟持状態を解除する。
【００２１】
図７（ｃ）に示す如く、固定接点１０５ａと切替接点１０６ａとは、互いに対向配置され、その中間部に可動接触子１０８が配置される。可動接触子１０８は、基端が共通端子１０７の支持バネ１０７ａ上に載置され、かつ上端縁が転換子１１１の作動アーム１１１ａと係合しており、転換子１１１の揺動に伴い、基端を支点として回動する。この可動接触子１０８の回動により、可動接点１０８ａが固定接点１０５ａと切替接点１０６ａのいずれか一方と接触する。なお、可動接触子１０８が回動する際の沈み込みを許容するために、支持バネ１０７ａは弾力的に変形可能となっている。また、この支持バネ１０７ａと可動接触子１０８は、ケース１０１の内底部に設けたコイルバネ１１３によって付勢されて、いわゆるトグル機構を形成している。
【００２２】
ランプホルダ１０９は、転換子１１１に組み合わされており、転換子１１１と一体に揺動する。ネオン管１１０は、ランプホルダ１０９の揺動に伴い、スイッチ１００に接続される配線回路のオンオフに合わせて点灯又は消灯する。このネオン管１１０は、スイッチ１００の略中央上部に配置してある。
【００２３】
作動子１１２は、蓋体１０２に形成した軸受部１０２ａに支点１１２ａが支持され、この支点１１２ａを中心として揺動自在となっている。作動子１１２の揺動は、転換子１１１に拡大して伝えられる。なお、この揺動機構については、例えば特開平３−２０５７１４号公報に開示された機構を採用することができる。
作動子１１２には、ネオン管１１０と対向する位置にランプフード１１４が設けてあり、ネオン管１１０から発せられた光線をランプフード１１４を介して外部に放出する。この作動子１１２の上面両端部には、操作板４００を装着するための保持バネ１１５が設けてある。
【００２４】
取付ユニット２００は、取付枠２１０と補強枠２２０とで構成してある。取付枠２１０には、中央部に装着口２１１が開口している。装着口２１１は、３個のスイッチ１００を並べて装着できる寸法としてあり、この装着口２１１を３つの領域に分け、各領域がスイッチ１００の取付部２１２ａ、２１２ｂ、２１２ｃ（スイッチ取付部）を形成している。
これら各取付部２１２ａ、２１２ｂ、２１２ｃの内周縁部には、図３に示す如くスイッチ１００の係止片１２０ａが係合する段状の装着溝２１３が形成してあり、該装着溝２１３に係止片１２０ａを係合させることで、スイッチ１００が取付枠２１０に装着される。
【００２５】
補強枠２２０は、図１、図３、及び図４に示す如く、取付枠２１０の外周に配置され、取付枠２１０に形成した保持爪２１４（図１参照）を係合孔２２１に係止することで、取付枠２１０に保持される。
【００２６】
化粧プレート３００は、取付ユニット２００の外周を被覆するための構成部品である。この化粧プレート３００には、中央に開口部３０１が形成してあり、この開口部３０１内に各操作板４００が配置される。
ここで、本実施形態のスイッチ装置は、ワイドタイプと称する構造を採用しており、取付枠２１０に形成した各取付部２１２ａ、２１２ｂ、２１２ｃよりも操作板４００が大きな寸法に形成されている。この種（ワイドタイプ）の配線器具構造は、例えば特開平４−４２７２１号公報等にも開示されている。
化粧プレート３００の開口部３０１は、これらの操作板４００を並べて配置できる寸法に形成してあり、したがって、該開口部３０１は取付枠２１０の装着口２１１よりも大きな寸法となっている。
【００２７】
操作板４００には、図８に示す如く、裏面に三対の装着爪４０１が並べて形成してあり、これら装着爪４０１のいずれか一対を選択して、スイッチ１００の作動子１１２に設けた保持バネ１１５と係合させることにより、スイッチ１００に装着される。
すなわち、上述したように操作板４００は、取付枠２１０に形成した各取付部２１２ａ、２１２ｂ、２１２ｃよりも大きな寸法を有しているため、スイッチ１００の取付枠２１０への装着位置に応じて、スイッチ１００に対し操作板４００をずらして装着する必要がある。
【００２８】
そこで、スイッチ１００の保持バネ１１５と係合させる装着爪４０１を選択することにより、図４に示す如く、図示右側の取付部２１２ｂに装着されたスイッチ１００に対しては、操作板４００を右寄りに装着し、一方、図示左側の取付部２１２ｃに装着されたスイッチ１００に対しては、操作板４００を左寄りに装着する。そして、中央の取付部２１２ａに装着されたスイッチ１００に対しては、操作板４００を中央に装着する。
【００２９】
また、操作板４００の表面中央部には、図１に示す如く、任意の深さで矩形状の凹部４１０が形成してあり、さらにこの凹部４１０内に開口部４１１が穿設してある。開口部４１１は、表示体５００を配置するための表示体配置部４１１ａと、ネオン管１１０からの光線を透過させる発光表示部４１１ｂを形成している。
【００３０】
凹部４１０の底面には化粧シート４２０が配置され、さらに透明フード４３０が嵌め込まれる。化粧シート４２０は、凹部４１０と対応する矩形状に形成した薄肉の樹脂フィルムからなり、開口部４１１の表示体配置部４１１ａと対応する位置に透明表示窓４２１が形成してある。また、開口部４１１の発光表示部４１１ｂと対応する位置には、発光確認窓４２２が形成してある。なお、化粧シート４２０において、これら透明表示窓４２１及び発光確認窓４２２以外の領域は、不透明な彩色やデザインが施されている。透明フード４３０は、凹部４１０と対応する矩形状の透明なプラスチック板で形成してある。
【００３１】
上述した凹部４１０、開口部４１１、化粧シート４２０、及び透明フード４３０により、表示体５００を操作板４００の表面側から視認するための表示部４０２が構成される。
表示体５００は、スイッチ装置によってオンオフ制御される照明等の設置場所を使用者に認識させるための表示（例えば、「居間」「廊下」「トイレ」「洗面」）が付された表示シートや表示カードである。この表示体５００は、スイッチ装置に付属されるか、又はユーザよって作成される。
この表示体５００は、操作板４００の裏面側から、開口部４１１の表示体配置部４１１ａに配置される。なお、開口部４１１の表面側は、化粧シート４２０及び透明フード４３０によって閉塞されている。
【００３２】
操作板４００の裏面側には、図１、図８等に示す表示体保持カバー４４０（表示体保持部材）が回動自在に設けてある。すなわち、操作板４００の裏面には、裏面凹部４４１が形成してあり、この裏面凹部４４１内に開口部４１１が開口している。裏面凹部４４１の一端縁角部には、図８に示す如く軸受部４４２が形成してあり、この軸受部４４２により表示体保持カバー４４０に形成した支軸４４３を回動自在に支持する。また、裏面凹部４４１の他端縁角部には、係止凸部４４４が形成してある。一方、表示体保持カバー４４０には固定爪４４５が形成してあり、この固定爪４４５を係止凸部４４４に係止することで、表示体保持カバー４４０が閉塞位置へ確実に保持される。
【００３３】
表示体保持カバー４４０は、支軸４４３を中心に回動して操作板４００に形成した開口部４１１を裏面側から閉塞する。この閉塞状態においては、表示体保持カバー４４０は裏面凹部４４１内に保持される。したがって、表示体保持カバー４４０は操作板４００の裏面と略フラットな閉塞状態を形成することができ、したがって、操作スイッチ１００との干渉が回避される。
【００３４】
このように、本実施形態のスイッチ装置は、表示体５００を操作板４００の裏面側から開口部４１１に配置し、かつ表示体保持カバー４４０によって表示体５００の配置状態を保持する構成となっている。開口部４１１に保持された表示体５００は、化粧シート４２０の透明表示窓４２１、及び透明フード４３０を透して外部から視認することができる。
【００３５】
また、表示体保持カバー４４０には、開口部４１１の発光表示部４１１ｂと対向する部位に、ネオン管１１０からの光線を透過する透孔部４４６が穿設してある。さらに、同カバー４４０の裏面には、図８に示すような導光体４５０と駆動体４６０を組合わせてなる構成部材が摺動自在に装着されている。導光体４５０は、スイッチ１００に設けたネオン管１１０からの光線を発光表示部４１１ｂに導く部材であり、アクリル等の透明部材で構成されている。また、駆動体４６０は、導光体４５０を支持するとともに円滑に移動させるための部材であり、摩擦係数が小さく滑り易い材質の樹脂材料で構成されている。
【００３６】
ここで、駆動体４６０は、内側面に形成した凹部４６１を、導光体４５０の両側面に形成した突起４５１に係合させることで、導光体４５０の両側面に組み付けられている。駆動体４６０の外側面には、摺動突起４６２が形成してあり、一方、表示体保持カバー４４０の裏面には、その両側縁部に所定長さのガイド孔４４７が形成してある。そして、駆動体４６０に形成した摺動突起４６２を、ガイド孔４４７に係合させることで、ガイド孔４４７に沿って、駆動体４６０及び導光体４５０が摺動自在に支持される。
駆動体４６０の裏面には、適所に凸部４６３が形成してあり、この凸部４６３の上面が、スイッチ１００の作動子１１２に摺接する摺動面となっている。
【００３７】
表示体保持カバー４４０の裏面には、透孔部４４６の両脇付近にバネ収納溝４４８が形成してあり、駆動体４６０におけるこの収納溝４４８と対応する箇所にもバネ収納部４６４が形成してある。そして、これら各収納溝４４８及び４６４が重ね合わさって形成される空間内に、コイルバネ４７０が収納してある。このコイルバネ４７０は、駆動体４６０に対して所定の初期位置に戻すような付勢力を作用させている。
【００３８】
図９は導光体４５０の断面図である。同図に示すように、導光体４５０には、第１乃至第３の導光経路ａ、ｂ、ｃが形成されている。このうち、第１の導光経路ａは、導光体４５０の裏面中央部（第１光入射部４５２ａ）から入射した光線を、表面中央部（第１光出射部４５３ａ）から出射する直線的な経路である。また、第２の導光経路ｂは、導光体４５０の裏面一端部（第２光入射部４５２ｂ）から入射した光線を、鏡面４５４、４５５で内部反射させて、表面中央部付近に形成した第２光出射部４５３ｂから出射する経路である。そして、第３の導光経路ｃは、導光体４５０の裏面一端部（第３光入射部４５２ｃ）から入射した光線を、鏡面４５６、４５７で内部反射させて、表面中央部付近に形成した第３光出射部４５３ｃから出射する経路である。
【００３９】
図８に戻り、駆動体４６０の両端部には、係止爪４６５、４６６が形成してある。一方、スイッチ１００の作動子１１２には、図１０に示す如く、これら係止爪４６５、４６６が選択的に係合する第１，第２の係合部１３０、１３１が形成してある。このうち、第１の係合部１３０は、作動子１１２の上面両端部の中央位置に形成してあり、第２の係合部１３１は、作動子１１２の上面両端部の両側縁に形成してある（図５参照）。第１の係合部１３０は凹溝となっており、その周囲には傾斜面１３２が形成してある。
【００４０】
次に、図１０及び図４を参照して、係止爪４６５，４６６及び第１，第２の係合部１３０、１３１の作用を説明する。
まず、取付部２１２ａ（取付枠２１０の中央）に装着したスイッチ１００に対しては、図４に示す如く操作板４００は略中心軸が合致した位置に装着される。この場合は、図１０（ａ）に示す如く第２の係合部１３１に係止爪４６５、４６６が係合して、導光体４５０の第１光入射部４５２ａがネオン管１１０と対向する位置に配置されるとともに、第１光出射部４５３ａが発光表示部４１１ｂと対向する位置に配置される。したがって、ネオン管１１０からの光線は、第１の導光経路ａを通って発光表示部４１１ｂへ導かれる。
【００４１】
また、取付部２１２ｂ（取付枠２１０の右寄り）に装着したスイッチ１００に対しては、図４に示す如く操作板４００は右寄りにずれた位置に装着される。この場合は、図１０（ｂ）に示す如く導光体４５０及び駆動体４６０も操作板４００とともに右寄りにずれる。なお、導光体４００及び駆動体４６０は、コイルバネ４７０の付勢力によって初期位置に配置されている。この状態で、操作板４００をスイッチ１００の作動子１１２に装着すると、係止爪４６５は傾斜面１３２に当接し、この傾斜面１３２に案内されて移動して、第１の係合部１３０へ係合する（図１０（ｃ））。
したがって、この場合は、第１の係合部１３０に係止爪４６５が係合して、第２光入射部４５２ｂがネオン管１１０と対向する位置に配置されるとともに、第２光出射部４５３ｂが発光表示部４１１ｂと対向する位置に配置される。したがって、ネオン管１１０からの光線は、第２の導光経路ｂを通って発光表示部４１１ｂへ導かれる。
【００４２】
次に、取付部２１２ｃ（取付枠２１０の左寄り）に装着したスイッチ１００に対しては、図４に示す如く操作板４００は左寄りにずれた位置に装着される。この場合は、図１０（ｄ）に示す如く導光体４５０及び駆動体４６０も操作板４００とともに左寄りにずれる。なお、導光体４５０及び駆動体４６０は、コイルバネ４７０の付勢力によって初期位置に戻っている。この状態で、操作板４００をスイッチ１００の作動子１１２に装着すると、係止爪４６６は傾斜面１３２に当接し、この傾斜面１３２に案内されて移動して、第１の係合部１３０へ係合する（図１０（ｅ））。
したがって、この場合は、第１の係合部１３０に係止爪４６６が係合して、第３光入射部４５２ｃがネオン管１１０と対向する位置に配置されるとともに、第３光出射部４５３ｃが発光表示部４１１ｂと対向する位置に配置される。したがって、ネオン管１１０からの光線は、第３の導光経路ｃを通って発光表示部４１１ｂへ導かれる。
【００４３】
このように、本実施形態のスイッチ装置では、取付枠２１０に対するスイッチ１００の取付け位置に応じて、ネオン管１１０からの光線を発光表示部４１１ｂへ導くことのできる位置へと、導光体４５０が移動するので、一種類の操作板４００で対応することができる。
【００４４】
なお、本発明は上述した実施形態に限定されるものではなく、例えば、図１１又は図１２に示す如く、取付枠２１０に２個又は１個のスイッチ１００を装着することもできる。この場合は、操作板４００の寸法を装着個数に応じて変更すればよい。
また、上記実施形態においては、導光体４５０とは別体に駆動体４６０を形成したが、導光体４５０に係止爪４６５、４６６を初めとする駆動体４６０の機能を付加し、駆動体４６０を省略することもできる。
【００４５】
【発明の効果】
以上説明したように、本発明によれば、取付枠に対するスイッチの取付け位置に応じて、発光体からの光線を発光表示部へ導くことのできる位置へと導光体が移動するので、一種類の操作板で各取付け位置のスイッチに対応することができ、部品管理及び施行作業が容易化となる。
【図面の簡単な説明】
【図１】  本発明の実施形態に係るスイッチ及びスイッチ装置の分解斜視図である。
【図２】  同じくスイッチ及びスイッチ装置の斜視図である。
【図３】  同スイッチ及びスイッチ装置を図２のＡ−Ａ線方向に切断した断面図である。
【図４】  同スイッチ及びスイッチ装置を図２のＢ−Ｂ線方向に切断した断面図である。
【図５】  スイッチの斜視図である。
【図６】  スイッチの分解斜視図である。
【図７】  （ａ）はスイッチの平面図、（ｂ）はスイッチの正面図、（ｃ）はスイッチの正面断面図である。
【図８】  操作板を裏面から看た分解斜視図である。
【図９】  導光体の側面断面図である。
【図１０】  駆動体に形成した係止爪と作動子に形成した係合部との係合関係を示す図である。
【図１１】  本発明の応用例を示す斜視図である。
【図１２】  本発明の他の応用例を示す斜視図である。
【符号の説明】
１００：スイッチ                １０１：ケース
１０１ａ：電線挿入孔          １０１ｂ：解除孔
１０２：蓋体                  １０２ａ：軸受部
１０３：押えバネ              １０４：リリースボタン
１０５ａ：固定接点            １０５：固定端子
１０６ａ：切替接点            １０６：切替端子
１０７ａ：支持バネ            １０７：共通端子
１０８ａ：可動接点            １０８：可動接触子
１０９：ランプホルダ          １１０：ネオン管（発光体）
１１１：転換子                １１１ａ：作動アーム
１１２：作動子                １１３：コイルバネ
１１４：ランプフード          １１５：保持バネ
１２０：固定金具            １２０ａ：係止片
１３０：第１の係合部        １３１：第２の係合部
１３２：傾斜面
２００：取付ユニット          ２１０：取付枠
２１１：装着口
２１２ａ、２１２ｂ、２１２ｃ：取付部
２１３：装着溝                ２２０：補強枠
３００：化粧プレート          ３０１：開口部
４００：操作板                ４０１：装着爪
４０２：表示部                ４１０：凹部
４１１：開口部              ４１１ａ：表示体配置部
４１１ｂ：発光表示部          ４２０：化粧シート
４２１：透明表示窓            ４２２：発光確認窓
４３０：透明フード            ４４０：表示体保持カバー
４４１：裏面凹部              ４４２：軸受部
４４３：支軸                  ４４４：係止凸部
４４５：固定爪                ４４６：透孔部
４５０：導光体                ４５１：突起
ａ：第１の導光経路                ｂ：第２の導光経路
ｃ：第３の導光経路
４５２ａ：第１光入射部      ４５２ｂ：第２光入射部
４５２ｃ：第３光入射部
４５３ａ：第１光出射部      ４５３ｂ：第２光出射部
４５３ｃ：第３光出射部
４６０：駆動体                ４６１：凹部
４６２：摺動突起              ４６３：凸部
４６４：バネ収納溝
４６５、４６６：係止爪        ５００：表示体
【図１】
0004426040.tif 000002
【図２】
0004426040.tif 000003
【図３】
0004426040.tif 000004
【図４】
0004426040.tif 000005
【図５】
0004426040.tif 000006
【図６】
0004426040.tif 000007
【図７】
0004426040.tif 000008
【図８】
0004426040.tif 000009
【図９】
0004426040.tif 000010
【図１０】
0004426040.tif 000011
【図１１】
0004426040.tif 000012
【図１２】
0004426040.tif 000013